(57)【要約】      （修正有）【課題】消火器が収納されていない状態を確実に認識できるようにする。【解決手段】消火器表示機構は、消火器収納空間３９の背面壁に表示プレート７２をコイルバネにより上向き回りに付勢して支持する。消火器３７の収納時はコイルバネに抗して表示プレート７２を背面壁の下側に向けて回動した非表示状態に保持し、消火器３７を取り出した際にコイルバネにより表示プレート７４を上向き回りに回動して扉開口１７から前方に突出して消火器扉３２が閉まらない表示状態とし、消火器が収納されていないことを認識させる。【選択図】図４
2011087842.tif 000002
【特許請求の範囲】
【請求項１】
覗き窓を有する消火器扉を開閉自在に設けた筐体内に消火器を収納したトンネル消火器装置に於いて、
前記消火器を取り出した際に、前記覗き窓から視認できる表示状態に作動して消火器がないことを表示する消火器表示機構を設けたことを特徴とするトンネル消火器装置。
【請求項２】
請求項１記載のトンネル消火器装置に於いて、前記消火器表示機構は、前記表示状態に作動した際に、開放した消火器扉の閉鎖を阻害することを特徴とするトンネル消火器装置。
【請求項３】
請求項１記載のトンネル消火器装置に於いて、前記消火器表示機構は、前記表示状態に作動した際に前記消火器扉を閉じた状態では前記覗き窓の裏面近傍に移動して位置することを特徴とするトンネル消火器装置。
【請求項４】
請求項２または３のいずれかに記載のトンネル消火器装置に於いて、前記消火器表示機構は、
消火器収納部の背面壁に回動自在に支持された表示プレートと、
前記表示プレートを上向き回りに付勢する付勢部材と、
を備え、
前記消火器の収納により前記付勢部材に抗して前記表示プレートを背面壁の下側に向けて回動した非表示状態に保持し、前記消火器を取り出した際に前記付勢部材により前記表示プレートを上向き回りに回動して扉開口から前方に突出する表示状態に作動させることを特徴とするトンネル消火器装置。
【請求項５】
請求項２または３のいずれかに記載のトンネル消火器装置に於いて、前記消火器表示機構は、
消火器収納部の背面壁に前方に向けて片持ち状態で固定された可撓性をもつワイヤー部材と、
前記ワイヤー部材の先端に結び付けたリボン部材と、
を備え、前記消火器の収納により前記ワイヤー部材を屈曲して背面壁の下側に向けて押圧した非表示状態に保持し、前記消火器を取り出した際に前記ワイヤー部材の押圧解除により上向きに回動して前記リボン部材を結び付けたワイヤー先端を扉開口から前方に突出する表示状態に作動させることを特徴とするトンネル消火器装置。
【請求項６】
請求項２または３のいずれかに記載のトンネル消火器装置に於いて、前記消火器表示機構は、
扉開口側を軸に前後回りに回動自在に配置され台座と、
前記台座を前方回りに付勢する付勢部材と、
を備え、前記消火器の収納により前記付勢部材に抗して前記台座を水平となる非表示状態に回動して保持し、前記消火器を取り出した際に前記付勢部材により前記台座を前方向き回りに回動して扉開口から前方に突出する表示状態に作動させることを特徴とするトンネル消火器装置。
【請求項７】
請求項６記載のトンネル消火器装置に於いて、前記台座は奥行き側端部に表示プレートを起立しており、前記表示状態に作動して扉開口から前方に突出した状態で前記表示プレートを前方に位置させて消火器の非収納を表示させることを特徴とするトンネル消火器装置。
【請求項８】
請求項１記載のトンネル消火器装置に於いて、前記消火器表示機構は、
消火器収納空間の底部に配置された底板と、
前記底板の消火器配置位置に上下方向に移動自在に配置された前記消火器を載置する台座と、
前記台座に消火器を載置した状態で前記底板側に収納された非表示状態に保持し、前記台座に消火器を載置していない状態で前記台座を前記覗き窓から視認可能な上方位置となる表示状態に作動させる付勢部材と、
を備えたことを特徴とするトンネル消火器装置。
【発明の詳細な説明】
【技術分野】
【０００１】
本発明は、トンネル内に設置され、火災時に使用するノズル付きホースに加え消火器を収納したトンネル消火器装置に関する。
【背景技術】
【０００２】
従来、高速道路や自動車専用道路などのトンネルに設置されるトンネル消火栓装置は、開放自在な消火栓扉を備えた筐体内に、ノズル付きホースとバルブ類を収納し、更に、開閉自在な消火器扉を備えた消火器収納部に例えば２本の消火器を収納している。
【０００３】
トンネル消火栓装置は、トンネル内の側壁に沿って例えば５０メートル間隔で設置されており、火災時には、筐体前面の消火栓扉を開いてノズル付きのホースを引き出し、消火栓開閉レバーを開位置に操作して消火用水をノズルから放出するようにしている。また、消火栓扉の横に配置されている消火器扉を開き、中に収納されている消火器を取り出して消火薬剤を放出することができる。
【０００４】
このようなトンネル消火栓装置にあっては、例えばトンネル施工が完了した段階で、５０メートル間隔で設置されているトンネル消火栓装置に正しく消火器が収納されていることを確認する作業を行っており、従来は、担当者が一台ずつ消火器扉を開けて、消火器が収納されていることを確認する作業を行っており、数キロを越えるような長いトンネルの場合には、消火器の確認に手間と時間がかかるという問題がある。
【０００５】
この問題を解決するため、消火器扉に覗き窓を設け、消火器が収納されているか否かの確認が簡単かつ容易にできるようにしている。
【先行技術文献】
【特許文献】
【０００６】
【特許文献１】特開２００５−３１８９７２号公報
【発明の概要】
【発明が解決しようとする課題】
【０００７】
しかしながら、このような消火器扉に覗き窓を設けたトンネル消火栓装置にあっては、消火器扉の内側となる消火器収納部の底部に配置した台座の上に、横に並べて２本の消火器を収納しているだけであり、消火器の収納位置によっては消火器扉に設けた覗き窓から見て収納している消火器が見えづらい場合がある。
【０００８】
特に覗き窓を利用した消火器が収納されているか否かの確認作業は、例えば点検車両からトンネル壁面に向けてライトからの光を当てて走行しながら確認することを予定しており、覗き窓から見ているだけでは、判断を誤る可能性がある。
【０００９】
本発明は、消火器が収納されていない状態を確実に認識できるようにするトンネル消火器装置を提供することを目的とする。
【課題を解決するための手段】
【００１０】
本発明は、覗き窓を有する消火器扉を開閉自在に設けた筐体内に消火器を収納したトンネル消火器装置に於いて、
消火器を取り出した際に覗き窓から視認できる表示状態に作動して消火器がないことを表示する消火器表示機構を設けたことを特徴とする。
【００１１】
また本発明のトンネル消火器装置に於いて、消火器表示機構は、表示状態に作動した際に、開放した消火器扉の閉鎖を阻害する。
また消火器表示機構は、表示状態に作動した際に消火器扉を閉じた状態では覗き窓の裏面近傍に移動して位置する。
【００１２】
ここで、消火器表示機構は、
消火器収納部の背面壁に回動自在に支持された表示プレートと、
表示プレートを上向き回りに付勢する付勢部材と、
を備え、
消火器の収納により付勢部材に抗して表示プレートを背面壁の下側に向けて回動した非表示状態に保持し、消火器を取り出した際に付勢部材により表示プレートを上向き回りに回動して扉開口から前方に突出する表示状態に作動させる。
【００１３】
また、消火器表示機構は、
消火器収納部の背面壁に前方に向けて片持ち状態で固定された可撓性をもつワイヤー部材と、
ワイヤー部材の先端に結び付けたリボン部材と、
を備え、消火器の収納によりワイヤー部材を屈曲して背面壁の下側に向けて押圧した非表示状態に保持し、消火器を取り出した際にワイヤー部材の押圧解除により上向きに回動してリボン部材を結び付けたワイヤー先端を扉開口から前方に突出する表示状態に作動させる。
【００１４】
また、消火器表示機構は、
扉開口側を軸に前後回りに回動自在に配置され台座と、
台座を前方回りに付勢する付勢部材と、
を備え、消火器の収納により付勢部材に抗して台座を水平となる非表示状態に回動して保持し、消火器を取り出した際に記付勢部材により台座を前方向き回りに回動して扉開口から前方に突出する表示状態に作動させる。
【００１５】
この場合、台座は奥行き側端部に表示プレートを起立しており、表示状態に作動して扉開口から前方に突出した状態で表示プレートを前方に位置させて消火器の非収納を表示させる。
【００１６】
更に、消火器表示機構は、
消火器収納空間の底部に配置された底板と、
底板の消火器配置位置に上下方向に移動自在に配置された前記消火器を載置する台座と、
台座に消火器を載置した状態で底板側に収納された非表示状態に保持し、台座に消火器を載置していない状態で台座を覗き窓から視認可能な上方位置となる表示状態に作動させる付勢部材と、
を備えたことを特徴とする。
【発明の効果】
【００１７】
本発明によれば、消火器が収納された状態にあっては覗き窓から消火器を確認することができ、一方、消火器が収納されていない場合には、消火器表示機構によって消火器が収納されていない状態が表示される。
【００１８】
特に、消火器表示機構は消火器を取り出した場合に消火器扉の閉鎖を妨げる状態に作動し、消火器扉が半開きになっていることで、消火器が収納されていない状態にあることが明確に認識できる。
また、消火器を取り外して消火器表示機構が作動した後に、消火器表示機構を手動で復旧して消火器扉を閉じてしまった場合でも、消火器表示機構は消火器扉の覗き窓の裏面近傍に移動して位置することで、消火器扉を閉めた場合であっても消火器表示装置の作動状態を容易に外部から確認することができる。
【００１９】
このため例えば点検車両からトンネル壁面に向けてライトからの光を当てて走行しながら確認する点検作業などを行っても、５０メートル間隔で設置されている消火栓装置の消火器収納状態は扉が閉まっているか半開きかをみることで、走行しながらであっても、消火器の有無を確実に判断することができる。
【図面の簡単な説明】
【００２０】
【図１】本発明によるトンネル消火栓装置の実施形態を示した説明図
【図２】図１の消火器扉を開いた状態を示した説明図
【図３】図２の消火栓扉を開いた状態で内部構造を示した平面図
【図４】図３の消火器表示機構を取り出してその実施形態を示した説明図
【図５】図４の実施形態を平面断面で示した説明図
【図６】図５の表示機構の実施形態における回動支持部分を取り出して示した説明図
【図７】ワイヤーを用いた消火器表示機構の他の実施形態を示した説明図
【図８】開閉する台座を用いた消火器表示機構の他の実施形態を示した説明図
【図９】リフトする台座を用いた消火器表示機構の他の実施形態を示した説明図
【発明を実施するための形態】
【００２１】
図１は本発明によるトンネルに設置される消火栓装置の実施形態を示した正面図である。図１において、消火栓装置１０は、消火栓側の筐体１２−１と消火器側の筐体１２−２に分割した構造であり、前面に化粧板１４−１，１４−２を装着しており、筐体１２−１、１２−２に対し必要な機器及び部材を組付けた後に連結固定部１５で固定した状態とし、この状態でトンネル現場に搬入して架台１１上に設置している。
【００２２】
化粧板１４−１，１４−２には扉開口部１６，１７が設けられている。筐体１２−１の扉開口部１６は上下に２分割され、下側扉開口部に消火栓扉１８を配置し、上側扉開口部に保守扉２２を配置しており、その内部がホース収納空間及びバルブ類収納空間となっている。
【００２３】
消火栓扉１８は、扉開口部１６に対し下側の軸となるヒンジ２１を中心に下向きに開閉自在に設けられており、マグネットと受け板を用いた下扉ロック機構７０により閉止位置に閉じている。消火栓扉１８は、ハンドル２０を手前に引いて下扉ロック機構７０の磁気吸着によるロックを外すことで前方に開閉することができる。
【００２４】
消火栓扉１８の上には上向きに開閉する保守扉２２が設けられており、マグネットと受け板を用いた上扉ロック機構６８により閉止位置に閉じられており、点検時に消火栓扉１８を開いてを外すことで開くことができる。また、筐体１２−１の上部両側には装置を吊り下げるための吊り輪２５が取り付けられている。
【００２５】
筐体１２−２の扉開口部１７の右側には通報装置扉２４が設けられ、ここに赤色表示灯２６、発信機２８、及び応答ランプ３０を設けている。なお、通報装置扉２４の内側には図２に示すように電話ジャック３１を設けている。
【００２６】
赤色表示灯２６は常時点灯し、消火栓装置１０の設置場所が遠方から分かるようにしている。火災時には、発信機２８を押してスイッチボタンをオンすると、発信信号が監視室の火災受信機に送信されて火災警報が出され、これに伴い応答信号が火災受信機から送られて、応答ランプ３０を点灯するようにしている。
【００２７】
扉開口部１７の左側には消火器扉３２が設けられ、消火器扉３２に対応した筐体１２−２の内部を消火器収納空間とし、例えば２本の消火器３７を収納している。消火器扉３２にはハンドル３４が設けられ、ハンドル３４を手前に引くとラッチが外れ、消火器扉３２は左側をヒンジとして前方に開くことができる。また、消火器扉３４の下側には覗き窓３５が設けられ、外部から消火器の収納状態の有無を確認できるようにしている。
【００２８】
図２は図１について、筐体１２−２側の消火器扉３２を開き、筐体１２−１側については消火栓扉１８を外し、保守扉２２は上向きに開いてステー２７で支持した状態で内部構造を示した正面図である。なお、保守扉２２は、消火栓装置の保守以外には通常閉じられており、消火作業時も閉められたままで消火栓扉１８のみ開放される。
【００２９】
図２において、筐体１２−１の左側にはホース収納空間３６が形成され、右側にバルブ類収納空間３８を形成している。ホース収納空間３６には、ホースバケット構造が設けられる。ホースバケット構造にはフレームパイプを屈曲して水平方向で上下に配置したフレーム部分を持つバケットフレーム４０が配置され、内部にホース収納空間を形成している。
【００３０】
バケットフレーム４０の中央から右側にオフセットした位置、即ち扉開口部１６の左右方向における略中央となる位置に、Ｕ字形パイプフレームを固定することで縦方向に２本のホースガイド４２が位置してホース取出口４５を仕切り形成している。更に、ホース取出口４５の下側には、前方に張出し形成された張出ホースガイド４７を設けている。
【００３１】
ホース取出口４５を仕切り形成するホースガイド４２及び張出ホースガイド４７は、ホース４４を引き出す際に内巻きしているホース４４が崩れたり、扉開口部１６に擦れてホース４４が損傷したり折れたりすることを防ぎ、更に開放している消火栓扉１８の右端又は左端にホース４４が引っかかって引き出せなくなることを防ぐ。
【００３２】
特に、張出ホースガイド４７はホース４４を左方向に引き出す際のホースの急激な折れ曲がりを緩和して滑らかな引き出しを可能とする。
【００３３】
バケットフレーム４０及び筐体内壁で囲まれたホース収納空間３６にはホース４４が内巻きして収納されている。ここで、右側のバルブ類収納空間３８の下部にはホース接続口４６が配置されており、ホース接続口４６にホース４４の１次側を接続した後、ホース４４をホース収納空間３６に巻き込むことになるが、この場合のホース４４の巻き込みは、扉開口部１６から見て右巻きとなるようにホース４４を巻き込んでいる。
【００３４】
即ち、ホース接続口４６に接続したホース４４は、まず筐体１２−１の下側内壁に沿うようにホース収納部３６方向に向かい、ホース収納空間３６の下側から巻き込まれ、第１筐体左側面内面を伝って筐体上方に向かい、その後に、右回りに収納空間内に巻き込まれ、最後にノズル４８を装着したホース先端をバケットフレーム４０の中央から右側にオフセットして扉開口部１６の中央付近に取り付けられたホースガイド４２で形成されたホース取出口４５から取り出し、上側のバケットフレーム４０の右端に固定しているノズルホルダー５０にノズル４８を左横向きに着脱自在に保持している。
【００３５】
ノズル４８は放水部４８ａとハンドル４８ｂから構成されており、ノズルホルダー５０に対し放水部４８ａの横向きに保持した状態で、ハンドル４８ｂは放水部４８ａの下側に位置して消火栓扉１８の開放による下側扉開口部の中央方向に向くように保持されている。
【００３６】
筐体１２−１に設けたホース収納空間３６の右側に配置したバルブ類収納空間３８には、ポンプ設備からの配管が接続される消火栓接続口からホース接続口４６に至る配管系統に、給水弁５１、消火栓弁、自動調圧弁、自動排水弁、安全弁及びメンテナンス装置を設けている。
【００３７】
このうち消火栓弁に設けた消火栓弁開閉レバー６４に対応して銘板６６が設けられており、銘板６６の裏側に消火栓弁、自動調圧弁、自動排水弁、安全弁が配置されている。
【００３８】
ここで、上側のバケットフレーム４０の右端に取り付けたノズルホルダー５０に装着されたノズル４８は、バルブ類収納空間の前面側に配置された消火栓弁開閉レバー６４付近に配置され、ノズル４８を取り出して消火栓弁を開くという相互に関連した操作を行い易くしている。
【００３９】
筐体１２−２側については、ヒンジ３３により消火器扉３２を左側に開いた内部の消火器収納空間３９には２本の消火器３７が収納されている。消火器３７は消火器扉３２を閉じた状態で覗き窓３５を通して２本の消火器３７が視認できるように収納されている。この消火器収納空間３９には消火器が収納されていない状態を外部に表示するための消火器表示機構が設けられる。
【００４０】
図３は、図１について内部構造を示した平面図である。図３において、筐体１２−１と筐体１２−２は連結固定部１５においてボルトにより固定されている。筐体１２−１のホース収納空間３６には平面から見て横Ｌ字形にバケットフレーム４０が配置され、筐体内壁との間に形成したホース収納空間３６にホース４４を右巻きにより内巻き状態で収納している。
【００４１】
上下２段に配置したバケットフレーム４０に図２のように一対のホースガイド４２を固定して仕切り形成したホース取出口４５の下側には、張出ホースガイド４７が設けられており、張出ホースガイド４７はその内側にホース４４の外径に略相当する幅の張出スペースを確保している。勿論、張出ホースガイド４７の張出し量は、消火栓扉１８を閉鎖したときに当らない位置となるように前方に張り出しており、ホース１本が少なくとも入る幅を有するとよりよい。
【００４２】
更に、バケットフレーム４０における前面右端にはノズルホルダー５０が取り付けられ、ノズルを横向きに着脱自在に保持できるようにしている。
【００４３】
筐体１２−２側の消火器収納空間３９には、２本の消火器３７の収納状態の有無を表示する消火器表示機構が設けられている。消火器表示機構は固定部７４により回動自在に支持された表示プレート７２を備える。表示プレート７２は、消火器３７の収納状態で覗き窓３５を通して視認できない非表示状態にあり、消火器３７を取り出した際に覗き窓３５から視認できる表示状態に作動して消火器３７が収納されていないこと表示する。
【００４４】
図４は図３の消火器表示機構を取り出して、その実施形態を示した説明図であり、図４（Ａ）に消火器扉を閉じた状態の側面から見た断面を、図４（Ｂ）に消火器扉を開いた状態の側面から見た断面を示している。また図５は図４の消火器表示機構の実施形態を平面で示しており、更に図６に図５の表示機構における回動支持部分を取り出して示している。
【００４５】
図４及び図５において、本実施形態の消火器表示機構は、筐体１２−２の内部となる消火器収納空間３９の底部側に収納されている消火器３７に対し設けられている。図４（Ａ）及び図５（Ａ）に示すように、消火器収納空間３９には２本の消火器３７が収納されており、図１に示したように消火器扉３２の下側に設けた覗き窓３５を通して内部の消火器３７を見ることができる。
【００４６】
消火器３７に対しては、本実施形態の消火器表示機構として、表示プレート７２、取付部７４及び軸７６を含む機構構造が設けられている。表示プレート７２は図５（Ｂ）の消火器扉３２を開いた平面図から明らかなように平坦な板部材であり、水平方向に回動したときに筐体１２−２の前方に開口した扉開口１７から外側にプレート先端が十分に飛び出し、消火器扉３２の閉鎖を妨げる長さとしている。
【００４７】
取付部７４に対する表示プレート７２の軸７６による取付構造を、図６に取り出して示している。図６において、筐体１２−２の内側背面には軸穴を備えた取付部７４が固定されており、取付部７４の軸穴に軸７６を通して、表示プレート７２の後端の軸穴に挿入し、取付部７４に対し表示プレート７２を回動自在に支持している。
【００４８】
取付部７４と表示プレート７２の軸受け部側の軸７６の両側の隙間部分には付勢部材としてのコイルバネ７８が組み込まれており、コイルバネ７８の一方のバネ端を表示プレート７２の下側に当接し、他端を取付部７４の上部に当接することで、コイルバネ７８の力により表示プレート７２を上向き回りの方向に付勢している。
【００４９】
図４（Ａ）及び図５（Ａ）に示すように、筐体１２−２の消火器収納空間３９に消火器３７を収納しているとき、消火器表示機構の表示プレート７２は消火器３７の背後にプレート先端が当たって、コイルバネに抗して下向きに回動され、表示プレート７２は消火器３７の背後で下向きとなった非表示位置に保持されている。消火器３７に当たって下向きとなった表示プレート７２は、前方に消火器３７が存在しているため消火器扉３２の覗き窓３５からはほとんど見えない非表示状態となっている。
【００５０】
一方、消火器３７を取り出した場合には、図４（Ｂ）及び図５（Ｂ）に示すように、消火器３７の取出しで表示プレート７２の下向きとなる規制が解除され、表示プレート７２は下向きの非表示位置となる表示プレート７２ａの位置から、矢印で示すようにコイルバネ７８の力により上向きに回動し、ほぼ水平状態となる表示状態に作動する。
【００５１】
この表示状態に作動した表示プレート７２は、その先端が筐体１２−２の扉開口１７を超えて外側に突出しており、したがって表示プレート７２の表示状態にあっては、消火器扉３２を閉じることができず、消火器３７を取り出している限り、消火器扉３２は半開き状態となっている。
【００５２】
このような図４〜図６の消火器表示機構の実施形態によれば、消火器を取り出しているトンネル消火栓装置については、図４（Ｂ）及び図５（Ｂ）に示すように、表示プレート７２の表示状態への作動により消火器扉３２が半開き状態となっており、例えば点検車両からトンネル壁面に向けてライトからの光を当てて走行しながら消火器の収納状態を確認する点検作業を行った場合、５０メートル間隔で設置されている消火栓装置の消火器収納状態は、消火器扉が閉まっているか半開きかを見ることで、走行しながらであっても消火器の収納状態の有無を確実に判断することができる。
【００５３】
また、消火器を取り出した後に、もし表示プレート７２を手動で押し下げて消火器扉３２を閉めてしまった場合でも、消火器が規定位置に存在しなければ、コイルバネ７８の力で表示プレート７２が消火器扉３２の内面に当たるまで手前に回動する。このとき表示プレート７２の表面が消火器扉３２の覗き窓３５の後ろに位置することで、外部から覗き窓３５を介して表示プレート７２を確認することで、消火器が使用されたことを確実に認識することができる。
【００５４】
図７はワイヤーを用いた消火器表示機構の他の実施形態を示した説明図であり、図７（Ａ）に消火器を収納した状態の側面から見た断面を、図７（Ｂ）に消火器を取り出した状態の側面から見た断面を示している。
【００５５】
図７（Ａ）において、筐体１２−２の消火器収納空間３９に収納した消火器３７に対しては、消火器表示機構として、この実施形態にあっては、先端にリボン８２を結び付けたワイヤー８０を、固定部８４による固定支持で消火器３７がない状態でワイヤー８０がほぼ水平方向に向くように取り付けている。
【００５６】
消火器収納空間３９に消火器３７を収納した際には、消火器３７の後方部分によりワイヤー８０が押されることで下向きに屈曲し、先端に結び付けているリボン８２の底部側に位置し、この状態では覗き窓３５を通して消火器３７しか見えず、ワイヤー８０を用いた消火器表示機構はほとんどみることのできない非表示状態となっている。
【００５７】
一方、消火器３７を取り出した場合には、図７（Ｂ）に示すように、消火器３７が取り出されることで、図７（Ａ）のように下向きに湾曲保持されていたワイヤー８０の規制が解除され、ワイヤー８０ａの非表示状態からワイヤー８０自身の固定部８４に対する水平状態での取付固定による復元力によって、ワイヤー８０は矢印で示すように上方に回動し、ワイヤー８０の先端に吊り下げているリボン８２を、扉開口１７を超えて外側に突出した位置に吊り下げる。
【００５８】
またワイヤー８０は、前方に飛び出した状態では、消火器扉３２がワイヤー８０に妨げられて完全には閉鎖することができない半開き状態となっている。
【００５９】
このような先端にリボン８２を結び付けたワイヤー８０を使用した消火器表示機構によれば、消火器を取り出した場合にはワイヤー８０が水平状態に復旧して先端のリボン８２を外側に飛び出した状態に吊り下げ、これによって外部から見て消火器３７が取り出された状態にあることが明確に分かる。
【００６０】
またワイヤー８０が飛び出すことで消火器扉３２が半開きとなっており、消火器扉３２の半開きとワイヤー８０の先端の飛び出したリボン８２の両者によって、消火器が取り出されていることが確実に認識できる。
【００６１】
更に、図７の消火器表示機構にあっては、図４〜図６の表示プレートを使用した実施形態に比べ、構造が簡単でコスト的にも安価に実現することができる。
【００６２】
図７の機構においても、消火器を取り除いた後に消火器扉３２を閉止した場合には、ワイヤー８０の力でリボン８２が覗き窓３５の背面に接触することから、外部から覗き窓を監視するだけでリボン８２を認識することができ、覗く窓から筐体内部を良く覗く必要が無く消火器の収納状態を確認することができる。
【００６３】
図８は開閉する台座を用いた消火器表示機構の他の実施形態を示した説明図であり、図８（Ａ）に消火器を収納した状態の側面から見た断面を、図８（Ｂ）に消火器を取り出した状態での側面から見た断面を、図８（Ｃ）に消火器を取り出した状態での正面を示している。
【００６４】
図８（Ａ）の消火器表示機構にあっては、筐体１２−２内の消火器収納空間３９の底部に、軸８８により前方側に開閉自在な台座８６を設け、台座８６は固定側に対しコイルバネ９０の装着により台座８６を前方方向に回動するように付勢している。更に台座８６の後方となる先端には、台座８６に対し下向きに表示プレート９２を一体に形成している。
【００６５】
このような開閉する台座８６を用いた消火器表示機構にあっては、図８（Ａ）の消火器３７を収納した状態では、台座８６の上に消火器３７を乗せることで、コイルバネ９０に抗して台座８６は奥方向に回動して閉じたほぼ水平な状態に保持されており、この状態が非表示状態となり、覗き窓３５を通して消火器３７を見ることができる。
【００６６】
消火器３７を取り出した場合には、図８（Ｂ）に示すように、コイルバネ９０の力により軸８８を中心に台座８６が前方方向に回動して、扉開口１７から先端を外側に飛び出し、この状態で表示プレート９２が前方に位置している。台座８６の表示プレート９２には、図８（Ｃ）の正面に示すように、例えば「空」といった消火器が収納されていないことを示す表示が、例えば外部から見て目立ち易い蛍光シールの使用により装着されている。
【００６７】
また図８（Ｂ）（Ｃ）の消火器を取り出した状態では、台座８６はその先端が扉開口１７を超えて外側に飛び出しているため、この状態で消火器扉３２を閉じることができず、消火器扉３２は半開き状態となっている。
【００６８】
この図８に示した開閉する台座８６を用いた消火器表示機構にあっても、消火器を取り出すと台座８６が外側に回動して先端を外部に突出し、且つ先端の表示プレート９２で消火器が収納されていない空状態にあることを表示し、且つ台座８６の先端が飛び出すことで、消火器扉３２を閉鎖することができずに半開きとなっており、これによって外部から見て消火器が取り出されていることが簡単且つ確実に認識できる。この図８の機構についても、もし表示プレート９２を手動で戻して消火器扉３２を閉めた場合には、表示プレート９２が消火器扉３２の覗き窓３５の裏面に接触するまで回動して、表示プレート９２の「空」の文字が覗く窓３５に近接することから、筐体内部まで覗くことなく、容易に外部から消火器が取り外されたことを認識することができる。
【００６９】
図９はリフトする台座を用いた消火器表示機構の他の実施形態を示した説明図であり、図９（Ａ）に消火器を収納した状態での側面断面を、図９（Ｂ）に消火器を取り出した状態での側面断面を、更に図９（Ｃ）に消火器を取り出した状態での正面を示している。
【００７０】
図９（Ａ）に示すように、本実施形態の消火器表示機構にあっては、筐体１２−２内の消火器収納空間３９の底部側に底上げした底板９６が固定され、底板９６に形成された円筒状の収納部１００の中にリフトバネ９８を介して台座９４を収納している。
【００７１】
即ち、消火器３７は台座９４に乗せることで収納され、このときリフトバネ９８は台座９４に乗せた消火器３７の重量により圧縮されて、台座９４を図示のように底板９６の収納部１００に収納しており、これによって覗き窓３５からは消火器３７しか見えず、消火器表示機構は見ることのできない非表示状態としている。
【００７２】
消火器３７を取り出した場合には、図９（Ｂ）に示すように、消火器３７による台座９４の押下げ状態が解除され、リフトバネ９８の力により台座９４は上方にリフトし、覗き窓３５から見易い上部位置に保持される。
【００７３】
即ち図９（Ｂ）の消火器を取り出した状態にあっては、図９（Ｃ）の正面図に示すように、覗き窓３５を通して内部のリフト状態にある台座９４及びリフト窓９８を見ることができ、これによって消火器３７が取り出されていることが明確に認識できる。
【００７４】
覗き窓３５からリフト状態にある台座９４を認識し易くするため、台座９４には蛍光塗料などの目立ち易い塗装を施すか、或いは、筐体内壁を明るい白色とし台座９４を黒又は灰色の暗い色とすることが望ましい。台座９４の表面は可能な限り消火器扉３２の覗き窓３５裏面に近接させた方が、外部からの確認作業が行いやすい。
【００７５】
この図９のリフトする台座を用いた消火器表示機構の実施形態にあっても、消火器を取り出すと覗き窓３５の中に台座９４がリフトされて見えるようになり、消火器が取り出されることを確実に認識することができる。
【００７６】
なお図９の実施形態にあっては、消火器３７を取り出した状態で台座９４がリフトして覗き窓３５から見えることで消火器が取り出されていることを認識できるようにしているが、この機構に加えて、リフトバネ９８により台座９４をリフトしたときに外側に突出して消火器扉３２を閉じなくするような機構を更に設けるようにしてもよい。具体的には、収納部１００の開口部側をヒンジとして、リフトバネ９８の台座９４の押上で外側に回動されるプレート部材を装着すればよい。もちろん、それ以外の消火器取出し状態で消火器扉３２の閉鎖を妨げる適宜の機構構造を設けてもよい。
【００７７】
また、本発明は消火器収納空間、ホース収納空間及びバルブ類収納空間を備えるトンネル消火栓装置に本発明を適用した場合を示したが、これに限らず、消火器収納空間のみを有する消火器ボックスにも本発明を適用することができる。
【００７８】
また本発明の表示機構は、その目的と利点を損なうことのない適宜の変形を含み、更に上記の実施形態に示した数値による限定は受けない。
【符号の説明】
【００７９】
１０：消火栓装置
１２−１，１２−２：筐体
３２：消火器扉
３５：覗き窓
３７：消火器
３８：消火器収納空間
７２，９２：表示プレート
７４：取付部
７６：軸
７８，９０：コイルバネ
８０：ワイヤー
８２：リボン
８４：固定部
８６，９４：台座
８８：軸
９６：底板
９８：リフトバネ
１００：収納部
【図１】
2011087842.tif 000003
【図２】
2011087842.tif 000004
【図３】
2011087842.tif 000005
【図４】
2011087842.tif 000006
【図５】
2011087842.tif 000007
【図６】
2011087842.tif 000008
【図７】
2011087842.tif 000009
【図８】
2011087842.tif 000010
【図９】
2011087842.tif 000011